(57)【要約】【課題】アンコーティングシリコン平凸レンズによる光学設計が施されたサーモパイル型赤外線検出装置へ、外来ノイズ対策として、アンコーティングシリコン平凸レンズ表面への赤外線透過領域の選択性を有する蒸着コーティングを施す必要があった。しかし、この蒸着コーティングを施す工程はレンズ個別での蒸着コーティングが必要であり、工数ＵＰ、及びレンズ曲面の蒸着コーティングという事もあり歩留まりの影響を受け、コスト面に於いて高騰するという課題があった。【解決手段】アンコーティングシリコン平凸レンズによる光学設計が施されたサーモパイル型赤外線検出装置へ、赤外線透過領域の選択性を有する平面フィルターを組み合わせることで構成している。又、アンコーティングシリコン平凸レンズにではなく別体として組み合わせる平面フィルターをウエハー状態にて全体を蒸着コーティングする事で効率の良い任意のサイズに切り出しが可能。【選択図】図１
2009041958.tif 000002
【特許請求の範囲】
【請求項１】
シリコン平凸レンズを具備するサーモパイル型赤外線検出装置に於いて、シリコン平凸レンズは赤外線透過領域の選択性を具備しないアンコーティングシリコン平凸レンズとし、これとは別に少なくとも１つ以上の赤外線透過領域を蒸着コーティングにより選択性を持たせたシリコン平面フィルターを具備させる事を特徴とするサーモパイル型赤外線検出装置。
【発明の詳細な説明】
【技術分野】
【０００１】
本発明は、赤外線透過領域の選択性を有したサーモパイル型赤外線検出装置に関する。
【背景技術】
【０００２】
従来用いられている一般的なサーモパイル型赤外線検出装置は、赤外線透過領域の選択性を持たないシリコン等の基材のみのアンコーティングシリコンにて構成される光学構造のものや、あるいはシリコン基材面へ蒸着等の技術により蒸着コーティングを施した赤外線透過領域の選択性を有した光学構造により提供されている。
しかしながら、サーモパイル型赤外線検出装置により検出温度を求める際、対象物検出を行うにあたり検出素子及び光学系の設計が必要となり、一般的なシリコン等の平面フィルターでの光学設計では満足しない場合がある。
そこで、シリコン等の赤外線を透過する基材を平凸状に加工し、レンズとしての光学性能を有した光学系を選択することにより、平面フィルターでは満足し得なかった光学設計が可能である。
さらに、用途によっては、このサーモパイル型赤外線検出装置にて温度検出を行う際、太陽光等の外乱光、車のヘッドライト等の強力な可視光エネルギーによる誤検出を防止する為、人体が放射する遠赤外線の波長帯領域のエネルギーを選択し透過させる必要がある。
その対策として、一般的に赤外線透過領域のエネルギーを選択的にサーモパイルセンサ内部へ導入する為、平面フィルター、平凸レンズに蒸着等の技術により蒸着コーティングを施している。赤外線を透過させる波長としては、５μｍカットオン特性や８〜１４μｍバンドパス特性が広く用いられている。
【特許文献１】特願２００４―３４５０６０
【発明の開示】
【発明が解決しようとする課題】
【０００３】
従来の手法ではアンコーティングシリコン平凸レンズによる光学設計が施されたサーモパイル型赤外線検出装置へ、太陽光等の外乱光、車のヘッドライト等の強力な可視光エネルギーなどの外来ノイズ対策として赤外線透過領域の選択性を追加する為に、アンコーティングシリコン平凸レンズ表面への赤外線透過領域の選択性を有する蒸着コーティングを施す必要があった。しかし、このアンコーティングシリコン平凸レンズ表面への赤外線透過領域の選択性を有する蒸着コーティングを施す工程は、平面フィルターは蒸着等の技術によりウエハー状態で蒸着コーティングが可能であるが、シリコン平凸レンズは形状形成後、表面に蒸着コーティングを施すためにアンコーティングシリコン平凸レンズ形状に合わせた蒸着用の工程専用の治具へアンコーティングシリコン平凸レンズを一つずつセットする必要がある。このため工数ＵＰ、蒸着釜へのシリコン平凸レンズの設置台数の制約、及びレンズ曲面の蒸着コーティングという事もあり歩留まりの影響を受け、コスト面に於いて高騰するという課題があった。
図３は従来のアンコーティングシリコン平凸レンズの表面へ赤外線透過域の選択性を有する蒸着コーティングを施した５μｍカットオン蒸着コーティングシリコン平凸レンズを、光学設計により具備したサーモパイル型赤外線検出装置の斜視方向概略図を示す。図４に内部断面構造概略図を示す。
【課題を解決するための手段】
【０００４】
本発明は、シリコン平凸レンズ側の蒸着コーティングは無しとし、アンコーティングシリコン平面フィルターに蒸着コーティングを施し、蒸着コーティング平面フィルターとアンコーティングシリコン平凸レンズとを組み合わせる事で、赤外線透過領域の選択性を持たせた事を特徴としている。又、アンコーティングシリコン平凸レンズではなく別体として組み合わせる平面フィルターに、５μｍカットオン特性や８〜１４μｍバンドパス特性を蒸着等の技術により蒸着コーティングを施す事で例えば４インチウエハー状態から、任意のサイズに切り出して使用する事を特徴としている。
【発明の効果】
【０００５】
本発明は、アンコーティングシリコン平凸レンズに蒸着コーティング平面フィルターを組み合わせる事で、蒸着コーティングシリコン平凸レンズと同等の検出エリアを得る事ができる。又、太陽光等の外乱光、車のヘッドライト等の強力な可視光エネルギーなどの外来ノイズに於いてブロッキングが可能であり、アンコーティングシリコン平凸レンズと、蒸着コーティング平面フィルターの組み合わせに於いて、蒸着コーティングシリコン平凸レンズと同等の効果を得る事が出来る。
【０００６】
又、アンコーティングシリコン平凸レンズへの蒸着コーティングではなく、例えば４インチウエハー状態のシリコン平面フィルターへ蒸着等の技術による蒸着コーティングを施すことで、シリコン平凸レンズの様に１つずつセットする必要がなく、蒸着等の工程へウエハー状態にてセットが可能となる事で工数ＤＯＷＮ、及び蒸着釜内のスペースの無駄を削減する事が出来る。又、ウエハー状態にて全面に蒸着コーティングされている事から、効率の良い任意のサイズに切り出しが可能でありコストを低減する事が出来る。
【発明を実施するための最良の形態】
【０００７】
本発明は、シリコン平凸レンズを具備するサーモパイル型赤外線検出装置に於いて、シリコン平凸レンズは赤外線透過領域の選択性を具備しないアンコーティングシリコン平凸レンズとし、これとは別に少なくとも１つ以上赤外線透過領域を蒸着コーティングにより選択性を持たせた蒸着コーティングシリコン平面フィルターを具備させた。サーモパイル型赤外線検出装置として図１に斜視方向概要図、図２に内部断面構造概要図を示す。
【実施例１】
【０００８】
以下実施例により本発明を詳細に説明する。図１は、本発明のもっとも基本的な実施例であり、サーモパイルセンサ型赤外線検出装置の光学設計部分であるアンコーティングシリコン平凸レンズ及び蒸着コーティング平面フィルター装着の形態を示すものである。図２に内部断面構造概略図を示す。
【０００９】
本実施例では、赤外線を受光することにより対象物の放射赤外線量を測定し対象物の温度を検出する事を可能にするサーモパイルチップへの赤外線入射量を対象物投影エリアより規定した赤外線検出領域を光学設計により導くシリコン等からなる平凸レンズを使用し、赤外線透過窓を有する金属製ＣＡＮケース、サーモパイルチップを電気的接続したリード端子を備えたヘッダーと共に外来からの環境的変化や電磁障害を防止するためにハーメチックシールとした一般的な構造であるサーモパイルセンサの前部へ、赤外線透過領域の選択性を有した蒸着コーティング平面フィルターを液状接着剤により金属製ＣＡＮケースへ接着固定した構造となっている。
【００１０】
また、本実施例では赤外線透過領域の選択性を有する５μｍカットオン蒸着コーティング平面フィルターとして赤外線透過領域を選択させているが、例えば、５．５μｍカットオン蒸着コーティング平面フィルター、６．５μｍカットオン蒸着コーティング平面フィルター、８〜１４μｍバンドパス蒸着コーティング平面フィルターでもかまわない。
又、図１の実施例に於いては、赤外線透過領域の選択性を有する５μｍカットオン蒸着コーティング平面フィルターの形状は正方形となっているが、これは、対象物投影エリアより規定した赤外線検出領域を光学設計により導くシリコン平凸レンズの光学設計を妨げない平面フィルターであれば、円形、長方形、六角形でもかまわない。
【００１１】
サーモパイル型赤外線検出装置が温度計測機器に組み込まれる場合、通常各用途に応じて測定対象面から所定高さ位置に、対象面を望む規定された角度で保持使用される。図５は、ある規定設置位置から２ヶの赤外線検出域を有し、投影される検出域となる位置に光学設計配列されたサーモパイルチップを設置した２エリア検出のサーモパイル型赤外線検出装置を、所望の赤外線検出域測定面にて投影される検出域分布を模視した概略図である。
又、サーモパイル型赤外線検出装置として、対象物の放射赤外線量を測定し対象物の温度を検出する事を可能にする前記の２エリア検出のサーモパイルチップのみならず、
赤外線受光部を１素子有するのシングル型サーモパイル型赤外線検出装置、赤外線受光部をライン状に配列したインライン型のサーモパイルアレイ型赤外線検出装置、赤外線受光部をマトリックス状に配列したマトリックス型のサーモパイルマトリックス型赤外線検出装置の温度検出器のように赤外線受光部を１〜１６素子有する多素子型サーモパイル型赤外線検出装置に於いても、本発明と同様に投影される各検出域の分布を維持しながら、赤外線透過領域の選択性を具備する事が可能である。
図１４は、平面フィルターを具備させた場合、具備させない場合のそれぞれの光線図である。対象物投影エリアより規定される光学設計を行う際、平面フィルターを前面に具備しない場合の光線と、平面フィルターを前面に具備する場合の屈折した光線との差を考慮しての光学設計が必要である。
【実施例２】
【００１２】
図６は、実施例１で用いたアンコーティングシリコン平凸レンズの平面側と凸面側を逆設置構造とするサーモパイル型赤外線検出装置の光学設計部分であるアンコーティングシリコン平凸レンズ及び５μｍカットオン蒸着コーティング平面フィルター装着の形態を示すものである。図７に内部断面構造概略図を示す。
本実施例に於いても実施例１の図５と同様の赤外線透過領域を得る事が可能である。
【実施例３】
【００１３】
図８は、実施例１で用いたアンコーティングシリコン平凸レンズと５μｍカットオン蒸着コーティング平面フィルターとを前後逆設置構造とするサーモパイル型赤外線検出装置の光学設計部分であるアンコーティングシリコン平凸レンズ及び５μｍカットオン蒸着コーティング平面フィルター装着の形態を示すものである。図９に内部断面構造概略図を示す。
本実施例に於いても実施例１の図５と同様の赤外線透過領域を得る事が可能である。
【実施例４】
【００１４】
図１０は、実施例１に用いたアンコーティングシリコン平凸レンズと５μｍカットオン蒸着コーティング平面フィルターとを前後逆設置構造とし、又、アンコーティングシリコン平凸レンズの平面側と凸面側を逆設置構造とするサーモパイル型赤外線検出装置の光学設計部分であるアンコーティングシリコン平凸レンズ及び５μｍカットオン蒸着コーティング平面フィルター装着の形態を示すものである。図１１に内部断面構造概略図を示す。
本実施例に於いても実施例１の図５と同様の赤外線透過領域を得る事が可能である。
【実施例５】
【００１５】
実施例１から４では金属製ＣＡＮケースにアンコーティングシリコン平凸レンズ及び５μｍカットオン蒸着コーティング平面フィルターを共に液状接着剤にて接着固定しているのに対し、図１２は、５μｍカットオン蒸着コーティング平面フィルターを樹脂ホルダーへ液状接着剤にて接着し、アンコーティングシリコン平凸レンズにて光学設計されたサーモパイル型赤外線検出装置へ覆い被せる様に５μｍカットオン蒸着コーティング平面フィルター付き樹脂ホルダーを設置した形態を示すものである。図１３に内部断面構造概略図を示す。
本実施例に於いても実施例１の図５と同様の赤外線透過領域を得る事が可能である。
また、本実施例では樹脂ホルダーに５μｍカットオン蒸着コーティング平面フィルターを装着しているが、例えば、アルミ等の金属製ホルダーでもかまわない。
また、樹脂ホルダーへアンコーティングシリコン平凸レンズを液状接着剤固定装着し、金属製ＣＡＮケースへ５μｍカットオン蒸着コーティング平面フィルターを液状接着剤にて接着固定にて構成される構造でも実施例１の図５と同様の赤外線透過領域を得る事が可能である
【図面の簡単な説明】
【００１６】
【図１】本発明による最も基本的な実施例である、赤外線透過域の選択性を有したサーモパイルの光学設計構成図の斜視方向概略図である。
【図２】図１の内部構造断面図である。
【図３】従来の一般的なサーモパイルの光学設計構造図の斜視方向概略図である。
【図４】図３の内部構造断面図である。
【図５】サーモパイル型赤外線検出器における投影される検出域分布を模視した概略図である。
【図６】本発明による他の実施例で赤外線透過領域の選択性を有したサーモパイルの光学設計別構造構成の斜視方向概略図である。
【図７】図６の内部構造概略図である。
【図８】本発明による他の実施例で赤外線透過領域の選択性を有したサーモパイルの光学設計別構造構成の斜視方向概略図である。
【図９】図８の内部構造概略図である。
【図１０】本発明による他の実施例で赤外線透過領域の選択性を有したサーモパイルの光学設計別構造構成の斜視方向概略図である。
【図１１】図１０の内部構造概略図である。
【図１２】本発明による他の実施例で赤外線透過領域の選択性を有したサーモパイルの光学設計別構造構成の斜視方向概略図である。
【図１３】図１２の内部構造概略図である。
【図１４】平面フィルターを具備することによる赤外線屈折概略図である。
【符号の説明】
【００１７】
１    ５μｍカットオン蒸着コーティング平面フィルター
２    アンコーティングシリコン平凸レンズ
３    赤外線透過窓
４    サーモパイルチップ
５    金属ＣＡＮケース
６    ヘッダー
７    リード
８    液状接着剤
９    ５μｍカットオン蒸着コーティングシリコン平凸レンズ
１０    ２エリア検出のサーモパイル型赤外線検出装置
１１    投影される検出域
１２    樹脂ホルダー赤外線透過窓
１３    樹脂ホルダー
１４    平面フィルターなしの光線
１５    平面フィルターありの光線
【図１】
2009041958.tif 000003
【図２】
2009041958.tif 000004
【図３】
2009041958.tif 000005
【図４】
2009041958.tif 000006
【図５】
2009041958.tif 000007
【図６】
2009041958.tif 000008
【図７】
2009041958.tif 000009
【図８】
2009041958.tif 000010
【図９】
2009041958.tif 000011
【図１０】
2009041958.tif 000012
【図１１】
2009041958.tif 000013
【図１２】
2009041958.tif 000014
【図１３】
2009041958.tif 000015
【図１４】
2009041958.tif 000016